(57)【要約】【課題】  黒あるいは低階調表示においても輝度段差が視認されないマルチスクリーン画面を構成可能な画像処理装置を提供する。【解決手段】  マルチスクリーン画像を構成する複数の画像の重複領域と非重複領域に対する低階調補正値を生成する画像処理装置であって、重複領域から非重複領域に渡り、値が徐々に変化するように低階調補正値を生成する。【選択図】図１
2014119621.tif 000002
【特許請求の範囲】
【請求項１】
マルチスクリーン画面を構成する複数の画像の重複領域と非重複領域に対する低階調輝度補正値を生成する画像処理装置であって、
前記重複領域から前記非重複領域に渡り、値が徐々に変化するように前記低階調輝度補正値を生成する生成手段を有することを特徴とする画像処理装置。
【請求項２】
前記生成手段は、前記重複領域に予め設定されている値から前記非重複領域に予め設定されている値へ線形に変化するように前記低階調輝度補正値を生成することを特徴とする請求項１に記載の画像処理装置。
【請求項３】
前記画像の重複領域と非重複領域とで構成される領域を格子状に分割して、処理単位を設定する設定手段を更に有し、
前記生成手段は、
前記設定された各々の処理単位に付与された、低階調輝度を補正するための複数の第一補正値に基づいて、第二補正値としての前記低階調輝度補正値を生成することを特徴とする請求項１に記載の画像処理装置。
【請求項４】
前記生成手段は、
前記処理単位に付与された複数の前記第一補正値の各々に重み付け処理を行うことにより第二補正値としての前記低階調輝度補正値を生成することを特徴とする請求項３に記載の画像処理装置。
【請求項５】
前記生成手段は、前記画像の重複領域と非重複領域の境界に応じて用意された前記重み付け処理のための重み付け係数の複数のセットのいずれかのセットを用いて前記重み付け処理を行うことを特徴とする請求項４に記載の画像処理装置。
【請求項６】
前記生成手段によって生成された低階調輝度補正値を、前記処理単位と対応付けて記憶するルックアップテーブルを更に備えることを特徴とする請求項３乃至５のいずれか１項に記載の画像処理装置。
【請求項７】
前記画像の重複領域と非重複領域の境界近傍を含む部分の領域の処理単位の大きさを、他の領域の処理単位よりも小さくすることを特徴とする請求項３乃至６のいずれか１項に記載の画像処理装置。
【請求項８】
前記生成手段によって生成された低階調輝度補正値を、前記重複領域の輝度補正された画像信号に加算する加算手段を更に備えることを特徴とする請求項１乃至７のいずれか１項に記載の画像処理装置。
【請求項９】
前記加算手段によって低階調輝度補正値が加算された前記画像信号を投射する投射手段を備えた請求項８に記載の画像処理装置。
【請求項１０】
マルチスクリーン画面を構成する複数の画像の重複領域と非重複領域に対する低階調補正値を生成する画像処理装置における画像処理方法であって、
前記重複領域から前記非重複領域に渡り、値が徐々に変化するように前記低階調補正値を生成する工程を有することを特徴とする画像処理方法。
【発明の詳細な説明】
【技術分野】
【０００１】
本発明は、複数の画像表示装置を用いてマルチスクリーンを構成する際に有用な、画像処理装置およびその方法に関する。
【背景技術】
【０００２】
従来、複数の投射型画像表示装置（以下、画像表示装置と称する）を用いてマルチスクリーンを構成する場合、隣接する画像表示装置の画像が重複する領域の画像信号に対して輝度補正を行うことで、全体の輝度均一化を実現している。なお、任意の幅で画像重複領域を設定することにより、画像表示装置毎に輝度や色味などの表示特性が若干異なっていても、この差異が視認されにくくなるということも知られている。
【０００３】
ここで、画像表示装置は、透過型では透過光を、反射型では反射光を完全に遮断することが出来ないため、黒表示でも微小な輝度を持つ。従って、マルチスクリーン構成における黒あるいは低階調表示では、画像重複領域の輝度が非画像重複領域の輝度より高くなってしまい、輝度が均一とはならない。これにより、いわゆる黒浮きという問題が発生する。そこで、画像重複領域と非画像重複領域で輝度を調整する手段を独立に備え、非画像重複領域の輝度レベルを独立に補正することで、低階調表示における輝度均一化を実現する技術が開示されている。（例えば、特許文献１）
【０００４】
特許文献１で開示される輝度補正方法を図５を用いて説明する。図５には、画像重複領域である重複輝度補正領域と非画像重複領域である低階調輝度補正領域に対する重複輝度、黒補正輝度、および補正合成輝度が示されている。重複輝度補正領域と低階調輝度補正領域に対して、図５（Ｂ）に示すような重複輝度となる。このとき、図５（Ａ）に示すような黒補正輝度を施す。すなわち、重複輝度補正領域では補正値を０とし、低階調輝度補正領域では有意な補正値で低階調表示で輝度を補正する。これにより、図５（Ｃ）に示すように、合成輝度は一定となる。
【先行技術文献】
【特許文献】
【０００５】
【特許文献１】特開２００２−２６８６２５号公報
【発明の概要】
【発明が解決しようとする課題】
【０００６】
しかしながら、図５（Ｂ）のように常に画像重複領域の重ね合わせが正確とは限らない。画像重複領域の重ね合わせ精度が粗いと、重複輝度補正領域と低階調輝度補正領域との境界とが図５（Ｄ）に示すように重複したり、図５（Ｆ）で示すように離れるといったずれの現象が発生する。前者の場合に図５（Ａ）に示すような黒補正輝度を施すと、補正後の輝度分布は図５（Ｅ）に示すように重複輝度補正領域と低階調輝度補正領域との境界でずれ量分だけ輝度が持ち上がる。後者の場合に図５（Ａ）に示すような黒補正輝度を施すと、補正後後の輝度分布は図５（Ｇ）で示すように境界でずれ量分だけ輝度が落ち込む。いずれの場合も、重複輝度補正領域と低階調輝度補正領域との境界において、ずれ量ぶんだけの輝度段差が視認されることとなる。
【０００７】
また、重複される画像の端部では、図５（Ｈ）に示すように有効画像の低階調表示輝度の散乱などにより輝度エッジが立たない場合がある。この場合、重複輝度補正領域と低階調輝度補正領域とが正確に重ね合っていても、図５（Ａ）に示すような黒補正輝度を施すと、補正後の輝度分布は図５（Ｉ）に示すように境界で輝度段差が視認されることとなる。
【０００８】
本発明は、このような課題に鑑みてなされたものであり、黒あるいは低階調表示においても輝度段差が視認されないマルチスクリーン画面を構成可能な画像処理装置を提供することを目的とする。
【課題を解決するための手段】
【０００９】
上記目的を達成するための、本発明の一態様による画像表示装置は以下の構成を有する。すなわち、マルチスクリーン画像を構成する複数の画像の重複領域と非重複領域に対する低階調補正値を生成する画像処理装置であって、前記重複領域から前記非重複領域に渡り、値が徐々に変化するように前記低階調補正値を生成する生成手段を有することを特徴とする。
【発明の効果】
【００１０】
本発明によれば、黒あるいは低階調表示においても輝度段差が視認されないマルチスクリーン画面を構成可能な画像処理装置を提供することが可能となる。
【図面の簡単な説明】
【００１１】
【図１】第１実施形態による画像表示装置の概略ブロック図。
【図２】第１実施形態による輝度補正方法を示す説明図。
【図３】第２実施形態による輝度補正方法を示す説明図。
【図４】第３実施形態による輝度補正方法の処理フローを説明するフローチャートを示す図。
【図５】従来の輝度補正方法を示す説明図。
【発明を実施するための形態】
【００１２】
以下、添付の図面を参照して本発明の好適な実施形態について説明する。
【００１３】
［第１実施形態］
図１は、本実施形態による画像処理装置の概略ブロックの一例を示す。本構成において、制御部１００、画像重複部補正部２００、低階調表示補正部３００、ライトバルブ駆動部４００、ライトバルブ５００である。複数の画像表示装置を用いてマルチスクリーン画面を構成する場合、隣接する画像が重複する画像重複領域が設けられる。
【００１４】
制御部１００は、座標指定部１１０と補正値設定部１２０を備える。座標指定部１１０は、画像重複領域を指定する手段である。一般的には、画像端部から座標指定部１１０で指定する座標で分割される重複領域が重複輝度補正領域となり、それ以外の非重複領域が非重複領域補正領域となる。なお、本実施形態では、画像重複部補正部２００、低階調表示補正部３００に対する領域の指定を座標指定部１１０のみで行っているが、それぞれの補正部に対して個別に領域を指定する手段を備えても良い。補正値設定部１２０は補正値を設定する。
【００１５】
画像重複部補正部２００は、補正タイミング生成部２１０、補正係数生成部２２０、乗算部２３０を備える。補正タイミング生成部２１０は、座標指定部１１０で指定された座標と外部から入力される同期信号に基づいて、重複輝度補正領域における画素位置を生成する。補正係数生成部２２０は、補正タイミング生成部２１０で生成される画素位置を基に重複輝度補正領域における補正係数を生成する。乗算部２３０は、補正係数生成部２２０で生成される補正係数を入力画像信号に乗ずることによって輝度補正を行う。
【００１６】
補正係数生成部２２０は、重畳する側の画像については、画像端部の重複輝度補正領域端で画像信号を０％、画像内側の重複輝度補正領域端で画像信号を１００％、とするような補正係数を生成する。なお、重畳される側の画像を表示する画像処理装置においても同様の重複輝度補正が行われ、画像端部の重複輝度補正領域端で画像信号が１００％、画像内側の重複輝度補正領域端で画像信号が０％、となるような補正係数が生成される。このように生成された補正係数に基づいて輝度補正されることで、全体の輝度均一化が実現できる。
【００１７】
低階調表示補正部３００は、座標指定部１１０で指定される座標で分割される領域（重複領域と非重複領域）毎に低階調表示の輝度を補正する手段であり、補正値付加タイミング生成部３１０、補正値生成部３２０、加算部３３０を備える。補正値付加タイミング生成部３１０は、座標指定部１１０で指定された座標と外部から入力される同期信号に基づいて、低階調補正値を付加するタイミングを生成する。補正値生成部３２０は、補正値設定部１２０で設定される補正値を元に、補正値付加タイミング生成部３１０で生成される低階調補正値付加タイミングに合わせて低階調表示における輝度均一化を実現するための低階調補正値を生成する。加算部３３０は、補正値生成部３２０で生成される低階調補正値を、重複部補正回路２００で輝度補正された画像信号に対して加算する。画像重複部補正回路２００で画像重複領域の輝度補正を行い、更に低階調表示補正回路３００で低階調表示補正を行った画像信号は、ライトバルブ駆動部４００、ライトバルブ５００を介して投射される。
【００１８】
図２は、本実施形態による輝度補正方法を説明する図であり、低階調輝度補正値、黒補正輝度、重複輝度、および補正合成輝度が示されている。ここで、図２（Ｂ）に示す重複輝度は、図５（Ｈ）に示した重複輝度と同様に、散乱光などによって輝度エッジが立っていないものであるとする。
【００１９】
座標指定部１１０は、図２（Ａ−０）に示すように、画像左側において水平方向座標ＸＢを指定する。この場合、低階調表示補正回路３００は、同図に示すように、一方の領域における輝度補正値から他方の領域における輝度補正値まで徐々に値が変化する補正値を生成する。ここで、位置座標０からＸＢまでが重複輝度補正領域であり、位置座標ＸＢ以降が非重複領域補正領域となる。
【００２０】
重複輝度補正領域における低階調輝度補正値を０、非重複領域補正領域における低階調輝度補正値をＤｂとして、図２（Ａ−０）で示す補正値Ｈｄの一例は（１）式で表される。
Ｈｄ＝０  （ｘ＜Ｘａ）
＝０＋（ｘ−Ｘａ）／（Ｘｂ−Ｘａ）＊Ｄｂ  （Ｘａ≦ｘ＜Ｘｂ）  （１）
＝Ｄｂ                                    （Ｘｂ≦ｘ）
【００２１】
（１）式で表される補正値で低階調輝度を適用すると、図２（Ａ−１）に示されるような黒補正輝度となる。この黒補正輝度で図２（Ｂ）のような重複輝度を補正することにより、図２（Ｃ）のような略一定した合成輝度分布になる。また、図２（Ｄ）のように、重複輝度補正領域と非重複領域補正領域との境界が重複した場合、図２（Ｂ）のような黒補正輝度を適用することで図２（Ｅ）で示すような合成輝度分布となる。また、図２（Ｆ）のように、重複輝度補正領域と非重複領域補正領域との境界が離れた場合、図２（Ｇ）示すような合成輝度分布となる。いずれの場合も、位置座標ＸＢにおいてのみ若干の輝度段差が生じるが、その幅は狭いため輝度段差を視認されにくくすることが出来る。なお、Ｘａ、ＸｂはＸＢとの差分が０ではない任意の値に設定することが出来る。また、補正値は（１）式に表されたものに限るものではなく、重複輝度補正領域から非重複領域補正領域にかけて徐々に減少するものでもよく、また、例えばＳ字のような曲線特性としても良い。
【００２２】
本実施形態によれば、画像重複領域の重ね合わせ精度が粗い場合で、重複輝度補正領域と非重複領域補正領域との境界で生じる輝度段差の視認を緩和することが出来る。これにより、黒表示でも継目が目立たず画面の一体感を損なうことのないマルチスクリーン画面を提供することが可能となる。
【００２３】
［第２実施形態］
第１実施形態では、低階調補正のための補正値生成回路３２０における低階調輝度補正値（例えば数式１のＤｂ）は、補正値設定部１２０で設定していた。一方で、低階調輝度補正値が面内で一様ではない場合を考慮すると、画面を任意の処理単位に分割し、それぞれの処理単位で使用する低階調輝度補正値をＬＵＴ（ルックアップテーブル）で設定する構成が考えられる。この場合、表示画面を分割する処理単位が小さすぎるとＬＵＴで設定する補正値の量が膨大となり、逆に処理単位が大きすぎると低階調輝度補正の精度が落ちてしまう。そこで、本実施形態では、図３（Ａ）に示すように、座標指定部１１０で指定された座標で分割される処理単位について、重複輝度補正領域と非重複領域補正領域との境界近傍を含む部分の処理単位を特に細かくする。このようにすることで、ＬＵＴに設定する補正値の量を削減できる。なお、処理単位を細かくする領域は、重複輝度補正領域と非重複領域補正領域との境界を挟んで重複輝度補正領域側と非重複領域補正領域側にそれぞれ最小２つの処理単位が含まれる範囲とする。
【００２４】
本実施形態では、図２（Ａ−０）で示す補正値特性をＬＵＴに設定する補正値で実現する。ここで、ＬＵＴに格納する低階調補正値について説明する。まず、図３（Ｂ）に示すように、Ｐｎ−２〜Ｐｎ＋２を重複輝度補正領域と非重複領域補正領域との境界近傍の処理単位における格子点（格子状に分割した点）とし、ＰｎとＰｎ＋１の間に該境界がある場合を考える。本実施形態では低階調輝度補正値算出に用いる格子点数を４とし、Ｐｎを基準格子点として、重複輝度補正領域側の２格子点（Ｐｎ−２とＰｎ−１）と非重複領域補正領域側に１格子点（Ｐｎ＋１）を用いる。
【００２５】
格子点Ｐｎ−２〜Ｐｎ＋１における従来の低階調輝度補正値Ｈｎ−２〜Ｈｎ＋１は、図５に示すように、Ｈｎ−２＝Ｈｎ−１＝Ｄ０、Ｈｎ＝Ｈｎ＋１＝Ｄｂである。本実施形態では、格子点Ｐｎ−２〜Ｐｎ＋１に対して低階調補正値（第一補正値）Ｈｎ−２〜Ｈｎ＋１が予め付与されているものとする。そして、第一補正値Ｈｎ−２〜Ｈｎ＋１と、重複輝度補正領域と非重複領域補正領域との境界の位置に対応した重み付係数とを用いて（２）式のように、例えば、格子点Ｐｎについての低階調輝度補正値（第二補正値）を算出する。
Ｈｄ（Ｐｎ）
＝ａ０×Ｈｎ−２＋ａ１×Ｈｎ−１＋ａ２×Ｈｎ＋ａ３×Ｈｎ＋１  （２）
【００２６】
ここで、重み付係数ａ０〜ａ３の１セットは処理単位内の実際の境界の位置に応じて用意され、図３（Ｃ）に示すような特性を備える。すなわち、重複輝度補正領域と非重複領域補正領域との境界が格子点Ｐｎと一致している場合、重み付係数としてＣ０についてのａ０〜ａ３を使用する。そして、重複輝度補正領域と非重複領域補正領域との境界が格子点Ｐｎ＋１に近付くに従って、Ｃ１、Ｃ２・・・についてのａ０〜ａ３を使用する。本実施形態では格子点ＰｎとＰｎ＋１の格子点間隔を８ｐｉｘｅｌとしており、重み付係数を８組備える。結果として、図３（Ｂ）で示すような低階調輝度補正値とすることが出来る。求められた低階調輝度補正値は、格子点の位置と対応付けられてＬＵＴに格納され、以後ＬＵＴに格納された補正値を読み出すことによって低階調輝度補正が行われる。なお、実際の境界は座標指定部１１０が検出可能としても良いし、ユーザがマニュアルで指定しても良い。
【００２７】
格子点間に位置する画素の低階調輝度補正値は、図３（Ｂ）に示されるように、その画素を挟む２つの格子点における低階調輝度補正値から線形補間して求めることが出来る。また、補間をせずに、近傍の格子点における低階調輝度補正値をそのまま使用する構成としても良い。なお、低階調輝度補正値算出に用いる格子点数、および格子点間隔は本実施形態で説明した数値に限定するものではない。
【００２８】
本実施形態によれば、低階調輝度補正値をＬＵＴで設定する場合でも、重複輝度補正領域と非重複領域補正領域との境界で生じる輝度段差の視認を緩和することが出来る。これにより、黒表示でも継目が目立たず画面の一体感を損なうことのないマルチスクリーン画面を提供することが可能となる。
【００２９】
［第３実施形態］
複数の画像表示装置を用いてマルチスクリーンを実現する場合、複数の画像表示装置の配置に応じて隣接画像の重複領域が変化する。そのため、一般に、投射型画像表示装置の制御手段（例えばＯＳＤ表示によるメニュー操作）で重複領域の設定を行う。本実施形態では、第２実施形態による低輝度補正値生成方法を、図４で説明する処理フローで実施することにより、制御手段での重複領域設定に対応して低輝度補正を行うことを可能とする。以下、図４を用いて処理フローを説明する。
【００３０】
まず、ステップＳ１０１で、座標指定部１１０で重複領域の設定が行われたか否かを判断する。重複領域の設定が行われていない場合、ステップＳ１０３へ進む。重複領域の設定が行われた場合、ステップＳ１０２で隣接画像との重複領域境界に合わせて処理単位領域の設定を行いステップＳ１０４へ進む。ここで処理単位は、図３（Ａ）に示すように、座標指定手段１１０で指定された座標で分割される重複輝度補正領域と非重複輝度補正領域との境界近傍のみ細かく、それ以外は大きくなるように設定される。ステップＳ１０３では、輝度補正値設定手段１２０で輝度補正値の設定が行われたか否かを判断する。輝度補正値の設定が行われていない場合、ステップＳ１０１へ戻る。輝度補正値の設定が行われた場合、ステップＳ１０４へ進み、設定された処理単位に合わせて低階調輝度補正値を算出する。ここで低階調輝度補正値は、第２実施形態で説明した算出方法で算出される。算出された低階調輝度補正値は、ステップＳ１０５で格子点の位置と対応付けられてＬＵＴに格納される。ステップＳ１０６では、ＬＵＴに格納された低階調輝度補正値を用いて低階調輝度補正が行われる。
【００３１】
本実施形態によれば、画像表示装置の制御部で設定される画像重複領域、および輝度補正値に応じて低階調輝度補正値を算出して輝度補正を行うことが出来る。これにより、ユーザーが簡易な方法で、黒表示でも継目が目立たず画面の一体感を損なうことのないマルチスクリーン画面を構成することが可能となる。
【００３２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014119621.tif 000003
【図２】
2014119621.tif 000004
【図３】
2014119621.tif 000005
【図４】
2014119621.tif 000006
【図５】
2014119621.tif 000007